(57)【要約】【課題】  画像データに対して印字情報を含まない白紙であるか否かの判定が可能な画像処理装置のプレビュー表示において、取得した複数の画像データのプレビューを行うと、取得した全画像データにおいて、白紙と判定された画像データがどの位置にあるのか、認識することが困難になる。【解決手段】  上記課題を解決すべく本発明の画像処理装置は、画像データに印字情報が含まれると判定される可能性を判定する判定手段と、前記判定手段による判定された可能性の高さに応じて、前記画像データのプレビュー画像の表示形態を決定する表示制御手段、を有することを特徴とする。【選択図】  図８
2015005955.tif 000002
【特許請求の範囲】
【請求項１】
画像データに印字情報が含まれる可能性を判定する判定手段と
前記判定手段により判定された可能性の高さに応じて、前記画像データのプレビュー画像の表示形態を異ならせる表示制御手段、を有することを特徴とする画像処理装置。
【請求項２】
前記判定手段は、複数の判定基準に従って前記画像データに印字情報が含まれるか否か判定し、該複数の異なる判定基準により判定された複数の判定結果を出力し、
前記表示制御手段は、前記複数の判定基準のうち、所定の基準で印字情報を含むと判定された画像データのプレビュー画像と、前記所定の基準で印字情報を含まないと判定された画像データのプレビュー画像の表示形態を異ならせることを特徴とする請求項１に記載の画像処理装置。
【請求項３】
前記判定手段は、複数の判定基準に従って前記画像データに印字情報が含まれるか否か判定し、該複数の異なる判定基準により判定された複数の判定結果を出力し、
前記複数の異なる判定基準それぞれを用いて得られる複数の判定結果を用いて、前記画像データに印字情報が含まれる可能性を判定することを特徴とする請求項１に記載の画像処理装置。
【請求項４】
前記判定手段は、複数の判定基準に従って前記画像データに印字情報が含まれるか否か判定し、該複数の異なる判定基準により判定された複数の判定結果を出力し、
前記複数の異なる判定基準のうち、全ての判定基準にて印字情報を含まないと判定された画像データのプレビュー画像は、第１の表示形態で表示し、
前記複数の異なる判定基準のうち、全ての判定基準にて印字情報を含むと判定された画像データのプレビュー画像は、前記第１の表示形態とは異なる表示形態により表示することを特徴とする請求項１に記載の画像処理装置。
【請求項５】
前記表示制御手段は、前記画像データに印字情報が含まれる可能性が低いほど、
前記画像データのプレビュー画像を表示する際のサイズを小さくすること特徴とする請求項１に記載の画像処理装置。
【請求項６】
前記表示制御手段は、前記画像データに印字情報が含まれる可能性が低いほど、
前記画像データのプレビュー画像を表示する際の点滅速度を速くすることを特徴とする請求項１に記載の画像処理装置。
【請求項７】
前記表示制御手段は、前記画像データに印字情報が含まれる可能性が低いほど、
前記画像データのプレビュー画像を表示する際の明度を上げることを特徴とする請求項１に記載の画像処理装置。
【請求項８】
前記表示制御手段は、前記画像データに印字情報が含まれる可能性が低いほど、
前記画像データのプレビュー画像を表示する際の濃度を下げることを特徴とする請求項１に記載の画像処理装置。
【請求項９】
前記表示制御手段は、前記画像データに印字情報が含まれる可能性が低いほど、
前記画像データのプレビュー画像を表示する際の表示開始位置を変更することを特徴とする請求項１に記載の画像処理装置。
【請求項１０】
前記表示制御手段により表示されているプレビュー画像から選択されたプレビュー画像の表示形態を変更することで、該プレビュー画像に対応する画像データの前記判定手段による判定結果を変更することを特徴とする請求項１記載の画像処理装置。
【請求項１１】
前記表示部は、複数のプレビュー画像を表示しており、
表示制御手段は、前記表示部に表示される複数のプレビュー画像に対して、
それぞれ異なる表示形態により表示を行うことを特徴とする請求項１に記載の画像処理装置。
【請求項１２】
画像データに印字情報が含まれると判定される可能性を判定する判定ステップと
前記判定ステップによる判定された可能性の高さに応じて、前記画像データのプレビュー画像の表示形態を決定する表示制御ステップ、を有することを特徴とする画像処理装置の制御方法。
【請求項１３】
コンピュータに請求項１２の制御方法を実行させるためのプログラム。
【発明の詳細な説明】
【技術分野】
【０００１】
本発明は処理対象の画像データが、印字情報を有する画像データであるか、印字情報を有さない画像データであるか判定する画像処理装置に関する。
【背景技術】
【０００２】
デジタル複写機等の画像読取装置で原稿の読み取りを行う際、光学系の位置を固定し、自動原稿搬送装置（ＡＤＦ：Ａｕｔｏ  Ｄｏｃｕｍｅｎｔ  Ｆｅｅｄｅｒ）によって原稿を搬送させながら読み取ることで画像データを取得する手法がある。
【０００３】
従来、自動原稿読取装置付きの複合機では、用紙の両面に印字された原稿と用紙の片面のみに印字された原稿が混載されていた場合でも、用紙の両面に対して読み取りを行っている。
【０００４】
しかしながら、この方法では用紙の片面のみに印字された原稿の裏である用紙の白紙面も読み取ることになる。その結果、印字情報がない白紙を読み取ることで不要なデータを処理することになる。これにより、無駄な紙の消費や電力消費が発生することになる。この問題に対し読み取った原稿が印字情報のない白紙でるか否かを判定し、白紙と判定された原稿を読み取ることで得られた画像データを削除する白紙スキップ機能が設けられている。
【０００５】
この白紙スキップ機能を用いて取得した画像データの出力を行うと、白紙と判定された原稿から得られた画像データが削除される。この白紙スキップ機能により実行された白紙判定が正確であったか否かを事前に確認するため、画像データを出力する前に使用者が白紙の原稿から得られた画像データと判定された画像データの確認を行っている。
【０００６】
特許文献１では、白紙の原稿を読み取ることで得られた画像データの確認を行うために、白紙の原稿を読み取ることで取得された画像データのプレビュー画像を表示するか否かを切り替えてプレビュー表示を行うことが可能な画像処理装置が提案されている。
【先行技術文献】
【特許文献】
【０００７】
【特許文献１】特開２０１０−０５６８０３号公報
【発明の概要】
【発明が解決しようとする課題】
【０００８】
しかしながら、特許文献１に記載の発明では、白紙と判定された原稿から得られた画像データのプレビュー画像をプレビュー時に非表示とした場合、どの原稿が白紙と検知されたのかわからない。また、白紙と検知された原稿が、読み取った原稿全体のうちの何ページ目に位置しているのかを確認することが困難である。つまり使用者は白紙と判定された原稿を読み取ることで得られた画像データのプレビュー画像の表示と非表示を画面上で切り替えながら、どの画像データのプレビューが非表示となったかを確認する必要があった。
【０００９】
そこで、本発明は白紙原稿と判定された原稿を読み取ることで得られた画像データが読み取った原稿全体のどこに位置しているかの視認性を向上させるプレビュー表示方法を提供するものである。
【課題を解決するための手段】
【００１０】
本発明は、上記課題を解決するためのものであり、本発明の画像処理装置は、画像処理装置は、画像データに印字情報が含まれると判定される可能性を判定する判定手段と、前記判定手段による判定された可能性の高さに応じて、前記画像データのプレビュー画像の表示形態を決定する表示制御手段、を有することを特徴とする。
【発明の効果】
【００１１】
本発明によれば、白紙と判定された原稿が読み取った原稿全体のうちどこに位置しているか認識しやすくなり、使用者が必要な原稿に対応する画像データのみの出力（印字出力、保存、送信など）を容易にすることが可能となる。
【図面の簡単な説明】
【００１２】
【図１】実施例１に係る画像処理装置の構成の一例を示すブロック図である。
【図２】画像入力部の内部構成の一例を示すブロック図である。
【図３】操作部１０５の構成の一例を示す平面図である。
【図４】実施例１に係る機能設定画面の一例を示す図である。
【図５】実施例１に係るプレビュー画面の一例を示す図である。
【図６】実施例１に係る白紙判定結果に対応した表示形態の一例を示す図である。
【図７】実施例１に係るプレビュー画面の一例を示す図である。
【図８】実施例１に係る表示制御処理の流れを示すフローチャートである。
【図９】実施例２に係る表示形態変更時のプレビュー画面の一例を示す図である。
【図１０】実施例２に係る表示制御処理の流れを示すフローチャートである。
【発明を実施するための形態】
【００１３】
以下、本発明を実施するための形態について図面を用いて説明する。
【００１４】
（実施例１）
図１は、本実施例に係る表示制御装置の一例として画像処理装置１０の構成例を示すブロック図である。制御部１０１は装置全体を制御し、ＣＰＵ（Ｃｅｎｔｒａｌ  Ｐｒｏｃｅｓｓｉｎｇ  Ｕｎｉｔ）等により構成される。制御バス１０２は制御部１０１と各ブロックとを接続する。ＲＯＭ（Ｒｅａｄ  Ｏｎｌｙ  Ｍｅｍｏｒｙ）１０３は、制御部１０１が実行するプログラムが記憶されている。ＲＡＭ（Ｒａｎｄｏｍ  Ａｃｃｅｓｓ  Ｍｅｍｏｒｙ）１０４は、制御部１０１による制御において、制御データの一時記憶、あるいはワークメモリとして使用される。操作部１０５は液晶パネル（ＬＣＤ：Ｌｉｑｕｉｄ  Ｃｒｙｓｔａｌ  Ｄｉｓｐｌａｙ）等の表示装置とタッチバッド等の位置入力装置等により構成され、ユーザが例えば装置の動作等を指示する。画像入力部１０６はであり、原稿の画像データの読み取りを行う。画像処理部１０７は、画像入力部１０６により読み取った画像データに対して画像処理を施す。記憶部１０８は、画像入力部１０６あるいは画像処理部１０７の入出力データを記憶するものである。
【００１５】
この記憶部１０８は以下により構成される。
【００１６】
ハードディスクドライブ（ＨＤＤ）、ソリッドステートドライブ（ＳＳＤ）、ＤＤＲ−ＤＤＲ（Ｄｏｕｂｌｅ  Ｄａｔａ  Ｒａｔｅ  Ｓｙｎｃｈｒｏｎｏｕｓ  ｄｙｎａｍｉｃ  Ｒａｎｄｏｍ  Ａｃｃｅｓｓ  Ｍｅｍｏｒｙ）等により構成される。画像出力部１０９は、画像処理部１０７によって処理された画像データを印字出力する。画像送信部１１０は、画像入力部１０６によって読み取った原稿の画像データや画像処理部１０７によって処理された画像データ、あるいは記憶部１０８に記憶した画像データを送信する。ＤＭＡＣ（Ｄｉｒｅｃｔ  Ｍｅｍｏｒｙ  Ａｃｃｅｓｓ  Ｃｏｎｔｒｏｌｌｅｒ）１１１は、制御部１０１の制御に基づき、画像入力部１０６、画像処理部１０７、記憶部１０８、画像出力部１０９、画像送信部１１０間のデータ転送制御を行う。１１２はＤＭＡＣ１１１によるデータ転送を行う。通信網１１３は画像送信部Ｓ１１０に接続される装置外部の通信網（ＬＡＮ：Ｌｏｃａｌ  Ａｒｅａ  Ｎｅｔｗｏｒｋ等）である。
【００１７】
＜画像入力部１０６の構成＞
画像入力部１０６の構成に関して、図２を用いて説明する。図２は画像入力部１０６の内部構成を示す図である。同図において、読取デバイス２０１は、ＣＣＤ、ＣＭＯＳ、あるいはＣＩＳにより構成される。原稿の画像データは読取デバイス２０１を介して読み取られ、読み取られたアナログの画像データが後段処理部に対して出力される。Ａ／Ｄ変換部２０２は、読み取りデバイス２０１による読み取りデータをデジタル変換する。読取画像処理部２０３は、読み取った画像データのハイライト部（白）およびダーク部（黒）のレベルを合わせるシェーディング補正、ＭＴＦ（Ｍｏｄｕｌａｔｉｏｎ  Ｔｒａｎｓｆｅｒ  Ｆｕｎｃｔｉｏｎ）補正、高周波抑制処理等の処理を行う。白紙判定部２０４は、読取画像処理部２０３により処理された画像データを参照し、読み取られた画像データが白紙であるか否かの判定を行う。
【００１８】
＜白紙判定方法＞
白紙判定部２０４による白紙の判定方法は、例えば、読取画像処理部２０３により処理された画像データの輝度値の頻度分布を用いて検知する。白紙判定部２０４は、読取画像処理部２０３が出力する画像データをもとに、原稿１枚分を読み取ることで得た読取画像データの頻度分布を生成する。そして、生成された頻度分布から平均値、分散値を求める。分散値を求める理由は、原稿の読み取り画像データに有意な情報（白紙ではない情報）が含まれている場合、算出された分散値が大きくなる特徴を用いるためである。
【００１９】
本実施例では白紙判定の方法として頻度分布を使用する方法について述べたがこれに限定されるものではない。例えば読取画像データのエッジを検出する処理部を設け、エッジと判定された画素を計数し、その計数値に応じて白紙の判定をするようにしても良い。また、頻度分布、分散値、エッジ数を組み合わせて白紙の判定をするようにしても良い。
【００２０】
また、ここで白紙とは印字情報（すなわちコンテンツ）がないと判定された原稿を指す。印字情報がなければ、色紙のような色付きの原稿や再生紙も白紙として扱う。すなわち白紙判定とは、原稿に印刷されたコンテンツの有無の判定である。また、これらを読み取った際の画像データ、読み取った際の裏写りのみの画像データも以下では白紙と呼ぶ。一方で少量の文字や網点で印字された薄い文字等で記載されている原稿は白紙ではない。手書きまたはプリンタで印字された印字情報を含む用紙を読み取った画像データはコンテンツデータと呼ぶ。
【００２１】
また、白紙判定をこのような手法で行う場合、画像形成装置が、取得した原稿を白紙として判定する際に用いる判定基準（閾値）の設定が可能である。頻度分布の分散値を用いて白紙判定を行う場合、分散値が閾値よりも高い場合がコンテンツ、閾値よりも低い場合が白紙と判定することができる。つまり、原稿をより白紙と判定させたい場合は判定に用いられる閾値を高く設定する。一方、原稿をより白紙と判定しにくくさせたい場合は判定に用いられる閾値を低く設定する。以降、白紙判定部２０４の構成を、白紙判定レベル設定が可能なものとして説明する。
【００２２】
画像入力部１０６は、読み取った原稿画像データに対して読取画像処理部２０３により処理を施した画像データと、白紙判定部２０４による白紙判定結果を出力する。白紙判定に頻度分布、および頻度分布から算出される分散値等を用いる場合、画像入力部１０６による一度の原稿読み取りに対して、複数の判定レベルを用いた白紙判定が可能である。つまり、求めた分散に判定レベルの異なる複数の閾値を適用して、閾値毎の白紙判定結果を得る。このため白紙判定レベル毎に同一の原稿を複数回読み取る必要がない。
【００２３】
なお、白紙判定部２０４が出力する白紙判定結果は、本実施例にて用いられる画像形成装置の使用者により設定された白紙判定レベルに基づく結果のみを出力しても良い。または、本実施例にて用いられる画像形成装置に設定可能な全ての白紙判定レベルの結果を出力しても良い。本実施例にて用いられる画像形成装置の使用者により設定された白紙判定レベルに基づく結果のみを出力する場合は、白紙と判定した場合に１を、白紙ではないと判定した場合に０を出力する。また、本実施例にて用いられる画像形成装置に設定可能な白紙判定レベルを３段階とする場合、白紙判定レベルが低い、すなわち白紙と判定され難い方から順に、判定結果を「０１１」のように３つの結果を併せて出力しても良い。そしてその時に、原稿読み取り時にどの白紙判定レベルによる判定結果であるか判別可能にしても良い。例えば、白紙判定結果が前述の順序で「０１１」である場合で予め設定された白紙判定レベルが２番目に白紙と判定し易いもの（判定レベルが上から２番目）であった場合は、以下のような表示を行う。すなわち、前記白紙結果（１、すなわち白紙と判定）と合わせて「白紙判定のレベル設定が上から２番目であること」を示す情報を合わせて参照可能な形態にする。
【００２４】
画像入力部１０６の出力データ、および白紙判定結果は、制御部１０１の制御に基づき、ＤＭＡＣ１１１により記憶部１０８に転送される。記憶部１０８は、ＤＭＡＣ１１１を介して転送された画像データ、および白紙判定結果を一時保存する。
【００２５】
記憶部１０８に保持された画像データ、および白紙判定結果を元に画像処理部１０７は取得した画像データのプレビュー画像を生成する。
【００２６】
＜操作部＞
図３は図１に示した操作部１０５の構成の他の例を説明する平面図である。図において、画像表示部３０１は、液晶パネル、あるいは有機ＥＬパネルなので構成され後述する接触検知部３１１とともにタッチパネルディスプレイを構成する。スタートキー３０２は原稿の読み取り動作を開始する指示を行うため等に用いられる。ストップキー３０３は稼働中の動作を止める指示を行うために用いられる。テンキー３０４は、数字と文字のボタン群で構成されており、コピー部数の設定や画像表示部３０１の画面切り替えを指示するために用いられる。接触検知部３１１は、画像表示部３０１に配置されることでタッチパネルディスプレイを指やペンで触れている状態であること（以下タッチオンと称す）を検知する。接触検知部３１１は、検知した操作や、タッチパネルディスプレイ上に指やペン等が触れている位置座標の情報を制御部１０１に通知する。そして、通知された情報に基づいて制御部１０１は、タッチパネルディスプレイに対してどのような操作が行われたかを判定する。
【００２７】
＜機能設定画面＞
図４は本実施例における画像表示部３０１の表示の一例を示すものである。図４（ａ）は画像表示部３０１の初期画面４０１を示すものであり、装置の状態、倍率設定、プレビュー機能設定、複写動作以外の動作モードを指定する動作モード設定を表示している。図４（ａ）において設定ボタン４０２はプレビュー機能のＯＮ／ＯＦＦ設定を行う際に押下されるボタンである。制御部１０１は設定ボタン４０２が押下されることを認識すると、図４（ｂ）に示すように設定ボタンの反転表示を行い、プレビュー機能を有効にする。設定ボタン４０３は本実施例に用いられる画像形成装置の動作を指定する際に押下されるボタンである。制御部１０１は設定ボタン４０３が押下されることを認識すると、画像表示部３０１の表示を図４（ｃ）に切り替える。
【００２８】
図４（ｃ）において設定ボタン４０４は白紙判定部２０４に対する設定を行う場合に押下されるボタンである。画像表示部３０１の表示が図４（ｃ）である状態で、設定ボタン４０４が押下されると制御部１０１は画像表示部３０１の表示を図４（ｄ）に切り替える。図４（ｄ）は白紙判定部２０４による白紙判定の判定レベルを設定するものである。図４（ｄ）においてボタン４０５は白紙判定機能を有効にするためのＯＮボタンである。ここでＯＮボタン４０５が押下されると図中に示す白紙判定のレベル設定が有効となる。ボタン４０６は白紙判定機能を無効にするためのＯＦＦボタンである。ＯＦＦボタン４０６が押下されると図中に示す白紙判定のレベル設定が無効となる。設定ボタン４０７は白紙判定の判定レベルを下げる、すなわち、白紙と判定し難い設定とする場合に押下される設定ボタンである。設定ボタン４０８は白紙判定の判定レベルを上げる、すなわち、白紙と判定しやすい設定とする場合に押下する設定ボタンである。なお、本実施例においては白紙判定部２０４に設定可能な設定レベルを３段階としているが、これに限ったものではない。つまり。設定可能なレベルを５段階、あるいは７段階としてもよい。
【００２９】
＜プレビュー画面＞
図５は本実施例における画像表示部３０１に表示されるプレビュー表示画面５０１の一例を示すものである。図５（ａ）は白紙判定機能がＯＦＦの状態におけるプレビュー表示の一例である。図５（ａ）においてボタン５０２は前へボタンで前のプレビュー画像を表示する場合に押下される。ボタン５０３は次へボタンで次のプレビュー画像を表示する場合に押下される。ボタン５０４はプレビュー画面を終了するために押下されるＯＫボタンであり、ＯＫボタン５０４が押下されると本プレビュー画面での設定内容を保持し、プレビュー画面が閉じられる。ボタン５０５は白紙判定機能を有効とするために押下されるＯＮボタンである。ここでＯＮボタン５０５が押下されると白紙判定のレベル設定が有効となる。ボタン５０６は白紙判定機能を無効とするために押下されるＯＦＦボタンであり、ＯＦＦボタン５０６が押下されると白紙判定のレベル設定が無効となる。スクロールバー５０７は、スライダー５０８が表示されている画像データが全体のどこに位置しているかを示している。スライダー５０８の位置はポインタ５０９が指す画像位置に対応している。
ボタン５１５はボタン４０７、ボタン５１６はボタン４０８と同様に白紙判定の判定レベルの上げ下げを行う設定ボタンである。このような表示画面５０１に生成されたプレビュー画像５１０〜５１４が表示される。
【００３０】
図５（ｂ）は、図５（ａ）に示すプレビュー表示画面５０１において白紙判定機能を有効とするためのＯＮボタン５０５が押下された場合を示している。プレビュー画像５１７〜５２１は白紙判定機能が有効となっている場合にプレビュー表示される画像である。ここでプレビュー画像５１７、および５２１は、白紙ではないと判定された画像データのプレビュー画像であり、図５（ａ）において白紙判定機能がＯＦＦである場合と同様の大きさで表示される。一方、プレビュー画像５１８、５１９、および５２０は白紙画像と判定された画像データのプレビュー画像であり、白紙ではないと判定された画像データとは異なる大きさで表示される。
【００３１】
このように本実施例においては、より白紙と判定されにくい画像データ、すなわち白紙と判定される可能性が高いほど画像データのプレビュー画像を小さく表示する。ここで白紙と判定される可能性が高いとは画像データに含まれる有意な情報が少ないことを示す。画像データにおいて有意な情報が少ない場合には、この画像データのプレビュー画像を小さく表示しても視認性にはあまり影響しない。すなわち、有意な情報が少ないためプレビュー画像を確認する必要性が低く、見辛くなっても問題がない。
【００３２】
一方で有意な情報が多く含まれる画像データのプレビュー画像を小さく表示してしまうと、画像データに含まれる情報の確認が困難となり、本来のプレビュー機能の意味合いが薄まり視認性が低下する。このため有意な情報が多く含まれている画像データ、すなわち白紙と判定される可能性が低い画像データのプレビュー画像を大きく表示する。
【００３３】
図６にて読み取られる原稿と複数の白紙判定レベルによる白紙判定結果と、それに対応する表示形態の一例を詳細に説明する。
【００３４】
図６（ａ）では原稿（ａ）〜（ｄ）に対して白紙判定部２０４の処理を実行した際の白紙判定結果と、複数の白紙判定結果に対応した表示形態を示している。原稿（ａ）は印字情報が多く含まれているため白紙と判定される可能性が低く、複数の白紙判定レベルでの判定結果が全て「０」（白紙ではない）となる。原稿（ｂ）は原稿（ａ）に対し印字情報が少なくなる。よって、白紙と判定される可能性が原稿（ａ）に比べて高くなる。このため、原稿に対して最も白紙と判定しやすい閾値を有する白紙判定レベルで「１」（白紙）と判定される。原稿（ｃ）は原稿（ｂ）に対しさらに印字情報が少なくなる。よって、白紙と判定される可能性が原稿（ｂ）に比べて高くなる。このため２番目に判定しやすい閾値を有する白紙判定レベルで「１」（白紙）と判定される。原稿（ｄ）は印字情報がなく、白紙と判定される可能性が原稿（ａ）〜（ｄ）の中で最も高くなる。よって全ての白紙判定レベルで「１」（白紙）と判定される。それぞれの白紙判定結果に対応して変更される表示形態について、以下説明する。
【００３５】
まず、各原稿を読み取ることで取得された画像データのプレビュー画像を表示する時に、白紙と判定される可能性に応じて点滅速度を変更して表示する場合について説明する。この場合は、より白紙と判定される可能性が高い（白紙と判定されやすい）画像データのプレビュー画像ほど点滅速度を速く表示する。これは白紙と判定される可能性が低い（白紙と判定されにくい）画像データのプレビュー画像の点滅速度を速く表示した場合、本来のプレビュー機能の意味合いからプレビュー画像の視認性が低下してしまうためである。一方、白紙と判定される可能性が高い画像データのプレビュー画像の場合、有意な情報（白紙ではない情報）が少ない。このため、点滅速度を速くしてプレビュー画像の表示を行った場合でもプレビュー画像の視認性は低下しない。また、白紙と判定される可能性が高い画像データのプレビュー画像を点滅表示することにより、全体のどこに位置するかを強調することができる。
【００３６】
次に、各原稿を読み取ることで取得された画像データのプレビュー画像を表示する時に、白紙と判定される可能性に応じて明度を変更して表示する場合について説明する。この場合は、より白紙と判定される可能性が高い画像データのプレビュー画像ほど明るく（濃度を薄く）表示する。これは白紙と判定される可能性が低い画像データのプレビュー画像を明るく（薄く）表示した場合、本来のプレビュー機能の意味合いからプレビュー画像の視認性が低下してしまうためである。一方、白紙と判定される可能性が低い画像データのプレビュー画像の場合、有意な情報（コンテンツ）が少ない。このため、明るく（薄く）表示を行った場合でもプレビュー画像の視認性は低下しない。また、明るく（薄く）表示することにより、画像データに含まれる有意な情報の少なさを強調することができる。
【００３７】
また、異なる表示形態として、各原稿を読み取ることで取得された画像データのプレビュー画像を表示する時に、白紙と判定される可能性に応じて表示位置を変更して表示する場合について説明する。この場合の表示形態の一例を図６（ｂ）に示す。
【００３８】
ここでは、より白紙と判定される可能性が高い画像のプレビュー画像ほど表示位置を通常の表示位置からずらして表示する。これにより白紙と判定される可能性が高い画像データのプレビュー画像とそうでない画像データのプレビュー画像を区別することが可能になる。さらに、白紙と判定される可能性が高い画像データのプレビュー画像を強調することができる。なお、図６（ｂ）において複数の白紙判定結果に応じて、より白紙と判定される可能性が高い画像データのプレビュー画像の表示開始位置を上方向にずらす表示例を示したが、これに限ったことではない。つまり、プレビュー画像の表示開始位置を上下方向にずらすように表示を行ってもよい。
【００３９】
このように、白紙と判定される可能性に応じて、表示形態を決定することが可能になる。
【００４０】
また、異なる表示形態として、図７に示すスクロールバー７００上で白紙と判定された画像データのプレビュー画像の位置の色を変更して表示する場合の表示形態を示す。ここではより白紙と判定される可能性が高い画像データのプレビュー画像ほど、７０３に示すようにスクロールバー７００上の表示を濃く表示する。これにより、全画像を移動して表示を行わなくても、白紙と判定される可能性の高い画像データに対応するプレビューが、取得した画像データ全体のどこに位置するか確認できる。よって、複数読み取った原稿のうち白紙と判定される可能性の高い原稿が全体のどこに位置するかを確認することが容易となる。
【００４１】
なお、本実施例において表示サイズ変更、点滅速度変更、明度変更、表示位置変更等の例を示したがこれに限ったものではなく、また、それぞれの表示形態を組み合わせて表示を行ってもよい。
【００４２】
図５において設定された白紙判定レベルと各画像の白紙判定結果を基に制御部１０１によって画像の削除処理が実行される。
【００４３】
＜制御フロー＞
図８は本実施例における画像表示部３０１に、画像処理部１０７にて生成されたプレビュー表示用のプレビュー画像を表示するまでの処理手順の流れを示すフローチャートである。本動作はＲＯＭ１０３に格納されるプログラムを制御部１０１がＲＡＭ１０４に展開し実行することにより実現する。
【００４４】
本実施例では前述した通り、複数の白紙判定レベルによる白紙判定結果に対応した表示形態でプレビュー画像の表示を行う。
【００４５】
Ｓ８０１では、読取デバイス２０１によって原稿の読取を行う。次にＳ８０２では、画像入力部１０６の読取画像処理部２０３にて各種画像処理を実行する。そしてＳ８０３では、画像入力部１０６の白紙判定部２０４にて読み取られた画像データが白紙であるか否かの判定を行う。
【００４６】
Ｓ８０３にて白紙判定処理が終わるとＳ８０４では続けて画像読取が行われるか否かかの判断を行う。ここで読み取るべき原稿が残っているならばＳ８０１に戻る。読み取るべき原稿が残っていないならばＳ８０５に進む。
【００４７】
Ｓ８０５ではプレビューを行うか否かの判断を行う。Ｓ８０５にてプレビューを行わないと判断された場合は処理が終了となる。一方、Ｓ８０５にてプレビューを行うと判断された場合はＳ８０６へ進む。ここでのプレビューを行うか否かは白紙判定機能の有効／無効設定とは相関がない。例えばプレビュー機能をＯＮに設定されていた場合でも白紙判定機能が有効になっていなければ、図６で示したような複数の白紙判定結果に応じた表示形態の変更は行わない。Ｓ８０６では画像データに対して、どの判定レベルを用いても白紙判定結果が白紙と判定されたか否かの判定を行う。ここで、全判定レベルで白紙と判定された場合、すなわち白紙の可能性が最も高いである場合、Ｓ８０７において画像データを第１形態で表示する。
【００４８】
白紙と判定される可能性に応じて点滅速度を変更して表示する場合、第１形態とは表示されるプレビュー画像のうち、一番速い速度で点滅させてプレビュー画像を表示する形態のことである。
【００４９】
同様に、白紙と判定される可能性に応じて明度（濃度）を変更して表示する場合、第１形態とは、表示されるプレビュー画像のうち一番明るく（一番薄く）プレビュー画像を表示する形態のことである。
【００５０】
同様に、白紙と判定される可能性に応じてサイズを変更して表示する場合、第１形態とは、表示されるプレビュー画像のうち一番小さいサイズでプレビュー画像を表示する形態のことである。
【００５１】
全判定レベルで白紙と判定されていない場合、Ｓ８０８へ進む。Ｓ８０８では全判定レベル中、２つの判定レベルで白紙であると判定されているか否かの判定を行う。ここで全判定レベル中、２つの判定レベルで白紙であると判定されている場合、すなわち白紙の可能性が２番目に高い場合、Ｓ８０９において画像データを第２形態で表示する。
【００５２】
白紙と判定される可能性に応じて点滅速度を変更して表示する場合、第２形態とは、表示されるプレビュー画像のうち二番目に速い速度で点滅させてプレビュー画像を表示する形態のことである。
【００５３】
同様に、白紙と判定される可能性に応じて明度（濃度）を変更して表示する場合、第２形態とは、表示されるプレビュー画像のうち二番目に明るく（二番目に薄く）プレビュー画像を表示する形態のことである。
【００５４】
同様に、白紙と判定される可能性に応じてサイズを変更して表示する場合、第２形態とは、表示されるプレビュー画像のうち二番目に小さいサイズでプレビュー画像を表示する形態のことである。
【００５５】
全判定レベル中２つの判定レベルで白紙であると判定されていない場合、Ｓ８１０へ進む。Ｓ８１０では全判定レベル中、１つの判定レベルで白紙であると判定されているか否かの判定を行う。ここで全判定レベル中、１つの判定レベルで白紙と判定されている場合、すなわち白紙の可能性が３番目に高い場合、Ｓ８１１において画像データを第３形態で表示する。
【００５６】
白紙と判定される可能性に応じて点滅速度を変更して表示する場合、第３形態とは、表示されるプレビュー画像のうち三番目に速い速度で点滅させてプレビュー画像を表示する形態のことである。
【００５７】
同様に、白紙と判定される可能性に応じて明度（濃度）を変更して表示する場合、第３形態とは、表示されるプレビュー画像のうち三番目に明るく（三番目に薄く）プレビュー画像を表示する形態のことである。
【００５８】
同様に、白紙と判定される可能性に応じてサイズを変更して表示する場合、第３形態とは、表示されるプレビュー画像のうち三番目に小さいサイズでプレビュー画像を表示する形態のことである。
【００５９】
全判定レベル中１つの判定レベルで白紙と判定されていない場合、すなわち白紙の可能性が最も低い場合、Ｓ８１２において画像データを第４形態で表示し、処理を終了する。
【００６０】
白紙と判定される可能性に応じて点滅速度を変更して表示する場合、第４形態とは、表示されるプレビュー画像のうち四番目に速い速度で点滅させずプレビュー画像を表示する形態のことである。
【００６１】
同様に、白紙と判定される可能性に応じて明度（濃度）を変更して表示する場合、第４形態とは、表示されるプレビュー画像のうち四番目に明るく（四番目に薄く）プレビュー画像を表示する形態のことである。
【００６２】
同様に、白紙と判定される可能性に応じてサイズを変更して表示する場合、第４形態とは、表示されるプレビュー画像のうち四番目に小さいサイズでプレビュー画像を表示する形態のことである。
【００６３】
また、この第４形態は、白紙判定機能が有効になっていない時にプレビューを行う時と同じ表示形態であってよい。
【００６４】
このように、１つの画像データのプレビュー画像を第１形態〜第４形態のいずれかの形態で表示することが決定したら、Ｓ８１３に進む。Ｓ８１３にて、Ｓ８０１で読み取った全ての画像データに対してプレビュー画像の表示形態についての決定が終了したか否か判定する。終了した場合は、本フローを終了し、終了していない場合は、Ｓ８０６へ戻る。
【００６５】
以上説明したように、白紙判定された画像データのプレビュー画像と白紙と判定されていない画像データのプレビュー画像とでプレビュー画面上での表示形態を変えることにより、全画像データの中でどの画像が白紙と判定されたかの確認が容易となる。また、複数の白紙判定レベルにより判定を行うことで得られた白紙判定結果によって表示形態を変えることにより、各画像データがどのレベルで白紙と判定されたかを容易に確認することが可能となる。
【００６６】
（実施例２）
実施例１では、複数の白紙判定結果に応じて表示形態を変える方法について述べた。実施例２では、使用者によって選択された画像データに対応するプレビュー画像の表示形態を変更することで、白紙判定結果を変更する方法について述べる。
【００６７】
本実施例における使用者による設定によって表示形態の変更を行い、これに応じて白紙判定結果を変更する処理手順の流れを図１０に示す。本動作はＲＯＭ１０３に格納されるプログラムを制御部１０１がＲＡＭ１０４に展開し実行することにより実現する。
【００６８】
例えば図６に示すプレビュー画像の表示サイズを白紙判定結果に応じて変更する表示形態の場合、使用者によって選択されたプレビュー画像の表示サイズを変更することが可能になる。図９にてこの一例を詳細に説明する。図９（ａ）はプレビュー画像の表示サイズを白紙と判定される可能性の高さに応じて変更する表示形態の場合のプレビュー表示の一例を示している。プレビュー画像９０１は、大きいサイズでプレビュー表示されている。プレビュー画像９０１は本来、白紙の原稿を読み取ることで得られた画像データに対応するものであるが、原稿に付着した汚れや読取時に混入するゴミが画像データ上に現れてしまっている。これにより複数の白紙判定レベルでの白紙判定において全ての白紙判定結果が「１」とならず白紙と判定される可能性が下がる。すなわち、白紙であると誤判定されてしまう。
【００６９】
この状態で、白紙判定レベルを最も白紙と判定し難い設定に決定した場合、ゴミが付着していない原稿は白紙として除去されるが、ゴミが付着してしまった原稿は白紙と判定されにくく、印字情報を含む原稿であると判定される。その結果、有意な印字情報を含まない原稿から取得された画像データが出力されてしまうことになる。本実施例では、この誤判定を回避するため、使用者が表示画面上でプレビュー画像を確認し、本来白紙と判定されるべき画像データに対応するプレビュー画像の判定結果を修正する方法について説明する。
【００７０】
図９（ａ）に示すように、使用者はプレビュー表示されている画像に対して白紙と判定すべき画像データのプレビュー画像であるか否かの確認を行い、白紙と判定させたい画像データのプレビュー画像があった場合、対象のプレビュー画像をタッチする。
【００７１】
これにより図９（ｂ）に示すようにプレビュー表示の変更を行うことができ、同時に白紙判定結果の修正を行うことができる。これにより簡易な操作で所望の白紙判定結果を得ることが可能となる。
【００７２】
図１０の説明に戻る。
【００７３】
Ｓ１００１では、原稿の読取時に白紙判定部２０４によって出力された複数の白紙判定結果と、全ての白紙判定結果で白紙と判定される値を保持する。ここではｉｎｄｅｘ［０］＝白紙判定部出力結果に白紙の可能性が高い（印字情報ありの可能性が高い）と判定されたことを示すｉｎｄｅｘ［１］＝１１１を設定する。ここでプレビュー表示ではｉｎｄｅｘ［０］に格納されている複数の白紙判定結果をもとにプレビュー画像を生成して表示を行うものとする。
【００７４】
Ｓ１００２では、使用者によって白紙と判定される可能性がある画像データのプレビューが選択されたか否かを検知する。ここでは接触検知部３１１より白紙と判定される可能性のある画像データのプレビュー画像にタッチオンを検出したか否かで判定を行う。ここで検知がされた場合はＳ１００３に進む。検知されていない場合は白紙である画像データのプレビュー画像ではないため再プレビュー表示は行わずＳ１００５に進む。
【００７５】
Ｓ１００３ではｉｎｄｅｘ［０］およびｉｎｄｅｘ［１］に格納されている値の入れ替えを行う。すなわち、白紙の可能性が低い（印字情報ありの可能性が高い）と判定された結果を、使用者の指示に応じて、白紙の可能性が高い（印字情報）ありの可能性が低い）という判定結果に変更することが可能になる。
【００７６】
Ｓ１００４ではｉｎｄｅｘ［０］に格納されている複数の白紙判定結果を基に、画像処理部１０７を用いてプレビュー画像の作成を行い、画像表示部３０１に再描画を行う。
【００７７】
Ｓ１００５では本フローの設定が完了したか否かを判定する。ここでは図８に示すＯＫボタン８０４が押下されたか否かによって判定が行われる。ＯＫボタン８０４が押下された場合は本処理が終了となる。一方で、ＯＫボタン８０４が押下されていない場合はＳ１００２に戻る。
【００７８】
このように簡易的な操作で、一度、白紙ではないと判定された原稿に対してその判定結果を変更させ白紙であると判定させることが可能となり、使用者の利便性、操作性を向上させることができる。
【００７９】
（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015005955.tif 000003
【図２】
2015005955.tif 000004
【図３】
2015005955.tif 000005
【図４】
2015005955.tif 000006
【図５】
2015005955.tif 000007
【図６】
2015005955.tif 000008
【図７】
2015005955.tif 000009
【図８】
2015005955.tif 000010
【図９】
2015005955.tif 000011
【図１０】
2015005955.tif 000012